(57)【特許請求の範囲】
【請求項１】
プラスチック成形機によって円盤形状に成形されたディスク状プラスチック成形品を冷却するための冷却装置であって、
成形後のディスク状プラスチック成形品に、円環状に冷却媒体を送風する送風手段を備えていることを特徴とする、ディスク状プラスチック成形品の冷却装置。
【請求項２】
前記送風手段は、ディスク状プラスチック成形品における、その中心から外周に向かう径方向途中であって、中心から実質的に等距離離れた環状部分に、冷却媒体を送風するように構成されていることを特徴とする、請求項１に記載のディスク状プラスチック成形品の冷却装置。
【請求項３】
前記プラスチック成形機によって成形されたディスク状プラスチック成形品を搬送するための搬送手段を備えており、
前記送風手段が、前記搬送手段に設けられていることを特徴とする、請求項１または２に記載のディスク状プラスチック成形品の冷却装置。
【請求項４】
前記搬送手段は、搬送方向に沿って延び、ディスク状プラスチック成形品を受ける受け部を、その搬送方向に沿って複数備えている受けフレームと、
搬送方向上流側の受け部に受けられるディスク状プラスチック成形品を、搬送方向下流側の受け部に順次搬送するための搬送ユニットとを備えており、
前記送風手段は、各受け部に受けられるディスク状プラスチック成形品をそれぞれ冷却可能とするために、各受け部に対向可能に複数設けられていることを特徴とする、請求項３に記載のディスク状プラスチック成形品の冷却装置。
【請求項５】
前記搬送ユニットは、各受け部に受けられるディスク状プラスチック成形品を保持し得る複数の保持部材と、
複数の保持部材および複数の送風手段を共通して支持する支持フレームと、
前記支持フレームを移動させる可動部材とを備えており、
前記可動部材を動作させて前記支持フレームを移動させることにより、各送風手段により各ディスク状プラスチック成形品に冷却媒体を送風する状態を保ちながら、各保持部材に各ディスク状プラスチック成形品を保持させて、各受け部に受けられている各ディスク状プラスチック成形品を、その受け部よりも搬送方向下流側の受け部に搬送するように構成していることを特徴とする、請求項４に記載のディスク状プラスチック成形品の冷却装置。
【請求項６】
前記送風手段によって冷却されたディスク状プラスチック成形品を収容するための収容ユニットをさらに備え、
前記搬送手段は、前記プラスチック成形機と前記収容ユニットとの間に配置され、前記プラスチック成形機により成形されたディスク状プラスチック成形品を、前記収容ユニットに搬送するように構成されていることを特徴とする、請求項３ないし５のいずれかに記載のディスク状プラスチック成形品の冷却装置。
【発明の詳細な説明】
【０００１】
【発明の属する技術分野】
本発明は、プラスチック成形機によって成形されたディスク状プラスチック成形品を冷却するための、ディスク状プラスチック成形品の冷却装置に関する。
【０００２】
【従来の技術】
従来より、コンパクトディスクなどに代表される光学的記録ディスクは、射出成形機などのプラスチック成形機によって製造されている。
【０００３】
このような光学的記録ディスクの製造は、たとえば、光学的記録ディスクを射出成形機によって円盤状に射出成形した後、成形された光学的記録ディスクを取り出して、回転プレートなどの上に載置し、その成形された光学的記録ディスクを回転プレート上で所定時間放冷した後、積み重ねて収容するようにしている。
【０００４】
【発明が解決しようとする課題】
しかし、射出成形後に光学的記録ディスクを直ちに取り出すと、金型内での不十分な冷却に起因して、取り出された光学的記録ディスク内部の樹脂が完全に固化せず、その結果、最終的な成形品としての特性も固定化されない、または、不安定となって、得られた光学的記録ディスクの機械的特性、電気的特性、光学的特性が損なわれる場合がある。
【０００５】
さらに、その後の処理工程のために、光学的記録ディスクを全体的に特定の方向にそらせておきたい場合もある。
【０００６】
本発明は、このような事情に鑑みなされたもので、その目的とするところは、成形直後に取り出された光学的記録ディスクを冷却して、強制的に温度分布を生じさせ、全体的または部分的に光学的記録ディスクの有する機械的特性、電気的特性および光学的特性を改善するように冷却し得る、ディスク状プラスチック成形品の冷却装置を提供することにある。
【０００７】
【課題を解決するための手段】
上記の目的を達成するために、請求項１に記載の発明は、プラスチック成形機によって円盤形状に成形されたディスク状プラスチック成形品を冷却するための冷却装置であって、成形後のディスク状プラスチック成形品に、円環状に冷却媒体を送風する送風手段を備えていることを特徴としている。
【０００８】
このような構成によると、送風手段は、成形後のディスク状プラスチック成形品に、円環状に冷却媒体を送風するので、ディスク状プラスチック成形品の周方向における部分が、冷却媒体により冷却される。そのため、ディスク状プラスチック成形品は、周方向において偏りなく冷却される。
【０００９】
請求項２に記載の発明は、請求項１に記載の発明において、前記送風手段は、ディスク状プラスチック成形品における、その中心から外周に向かう径方向途中であって、中心から実質的に等距離離れた環状部分に、冷却媒体を送風するように構成されていることを特徴としている。
【００１０】
このような構成によると、送風手段は、ディスク状プラスチック成形品における、その中心から等距離離れた環状部分に冷却媒体を送風するので、ディスク状プラスチック成形品は、その送風された環状部分から径方向に沿って次第に冷却される。
【００１１】
また、請求項３に記載の発明は、請求項１または２に記載の発明において、前記プラスチック成形機によって成形されたディスク状プラスチック成形品を搬送するための搬送手段を備えており、前記送風手段が、前記搬送手段に設けられていることを特徴としている。
【００１２】
このような構成によると、プラスチック成形機によって成形されたディスク状プラスチック成形品が、搬送手段によって搬送されながら、送風手段によって冷却される。
【００１３】
請求項４に記載の発明は、請求項３に記載の発明において、前記搬送手段は、搬送方向に沿って延び、ディスク状プラスチック成形品を受ける受け部を、その搬送方向に沿って複数備えている受けフレームと、搬送方向上流側の受け部に受けられるディスク状プラスチック成形品を、搬送方向下流側の受け部に順次搬送するための搬送ユニットとを備えており、前記送風手段は、各受け部に受けられるディスク状プラスチック成形品をそれぞれ冷却可能とするために、各受け部に対向可能に複数設けられていることを特徴としている。
【００１４】
このような構成によると、ディスク状プラスチック成形品は、搬送方向に沿って設けられる複数の受け部に、その搬送方向上流側の受け部から、搬送方向下流側の受け部に順次搬送されながら、各受け部に対向可能に設けられる各送風手段によって冷却される。
【００１５】
また、請求項５に記載の発明は、請求項４に記載の発明において、前記搬送ユニットは、各受け部に受けられるディスク状プラスチック成形品を保持し得る複数の保持部材と、複数の保持部材および複数の送風手段を共通して支持する支持フレームと、前記支持フレームを移動させる可動部材とを備えており、前記可動部材を動作させて前記支持フレームを移動させることにより、各送風手段により各ディスク状プラスチック成形品に冷却媒体を送風する状態を保ちながら、各保持部材に各ディスク状プラスチック成形品を保持させて、各受け部に受けられている各ディスク状プラスチック成形品を、その受け部よりも搬送方向下流側の受け部に搬送するように構成していることを特徴としている。
【００１６】
このような構成によると、可動部材を作動させると、複数の保持部材を共通して支持する支持フレームが移動するので、各受け部に受けられている各ディスク状プラスチック成形品が各保持部材によって一度に保持されて、その受けられている受け部よりも搬送方向下流側の受け部に一度に搬送される。また、この搬送においては、複数の送風手段を共通して支持する支持フレームが移動するので、各送風手段は、各ディスク状プラスチック成形品に冷却媒体を送風する状態を保ちながら、支持フレームの移動に伴って移動される。
【００１７】
また、請求項６に記載の発明は、請求項３ないし５のいずれかに記載の発明において、前記送風手段によって冷却されたディスク状プラスチック成形品を収容するための収容ユニットをさらに備え、前記搬送手段は、前記プラスチック成形機と前記収容ユニットとの間に配置され、前記プラスチック成形機により成形されたディスク状プラスチック成形品を、前記収容ユニットに搬送するように構成されていることを特徴としている。
【００１８】
このような構成によると、プラスチック成形機によって成形されたディスク状プラスチック成形品は、冷却手段によって冷却されながら搬送手段によって収容ユニットに向けて搬送された後、収容ユニットにおいて収容される。
【００１９】
【発明の実施の形態】
図１は、本発明のディスク状プラスチック成形品の冷却装置の一実施形態を示す概略説明図である。
【００２０】
図１において、この冷却装置は、ディスク状プラスチック成形品としての光学的記録ディスク１を成形するための、プラスチック成形機としての射出成形機により成形された、円盤形状の光学的記録ディスク１を受け入れるための受入ユニット２と、受け入れた光学的記録ディスク１を冷却および搬送するための搬送手段としてのワークユニット３と、冷却および搬送された光学的記録ディスク１をを収容するための収容ユニット４とを備えており、これらが支持台５に支持されている。
【００２１】
受入ユニット２は、図１および図２に示すように、図示しない射出成形機に隣接して配置され、図示しない射出成形機に備えられる取出器によって、取り出された光学的記録ディスク１を受け入れるための受入器６と、後述する搬送ユニット１７における搬送方向の最も上流側にある受け部２０に載置させるための受取器７とを備えている。
【００２２】
受入器６は、支持プレート８と、この支持プレート８に揺動可能に取付けられる揺動アーム９とを備えている。揺動アーム９の一端は、支持プレート８に回転可能に設けられる枢支軸１０に取付けられており、その他端には、光学的記録ディスク１を吸引することによって保持し得る保持具１１が取付けられている。そして、この揺動アーム９は、枢支軸１０の回転によって、図示しない射出成形機から成形された光学的記録ディスク１を受け入れるための受入位置と、次に述べる受取器７に光学的記録ディスク１を受け渡すための受継位置とに揺動可能とされている。なお、より具体的には、揺動アーム９は、後述する搬送ユニット１７の搬送方向前後方向に揺動される。これによって、揺動アーム９が受入位置に揺動されるとともに、その受入位置において保持具１１が吸引して光学的記録ディスク１を保持し、次いで、揺動アーム９が受継位置に揺動されることによって、光学的記録ディスク１の射出成形機の取出器からの受け入れが行なわれる。
【００２３】
受入ユニット２の受取器７は、支持台５の一端から立設される支持プレート１２と、この支持プレート１２に揺動可能に設けられる揺動プレート１３とを備えている。揺動プレート１３は、略Ｌ字状に形成されており、その片方側のプレートが支持プレート１２に回転可能に設けられる枢支軸１４に取り付けられるとともに、その他方側のプレートには、光学的記録ディスク１を吸引することによって保持し得る保持具１５が取り付けられている。そして、この揺動プレート１３は、枢支軸１４の回転によって、揺動アーム９と対向状に配置されて、受入器６から光学的記録ディスク１を受け取るための受継位置と、搬送方向の最も上流側にある、後述する受け部２０と対向状に配置されて、その受け部２０に受け渡すための受渡位置とに揺動可能とされる。なお、より具体的には、揺動プレート１３は、保持具１５が受継位置において垂直方向に向き、受渡位置において水平方向に向くように揺動される。これによって、受入器６において受け入れられた光学的記録ディスク１が揺動アーム９によって受継位置に揺動された時に、揺動プレート１３を受継位置に揺動させて、受取器７の保持具１５と受入器６の保持具１１とを対向状に配置して、受取器７の保持具１５によって、その光学的記録ディスク１における受入器６の保持具１１が保持している面の反対側の面を吸引して保持し、その後、受入器６の保持具１１の吸引を解除することによって、光学的記録ディスク１を受入器６の保持具１１から受取器７の保持具１５に直接受け継いで、次いで、揺動プレート１３を受渡位置に揺動させることによって、垂直状に保持されている光学的記録ディスク１を、水平方向に向けて、この状態から保持具１５の吸引を解除して、搬送方向の最も上流側にある受け部２０に光学的記録ディスク１を落下させる。これによって、光学的記録ディスク１を受入器６に受け入れた後、ワークユニット３に受け渡す動作が完了する。
【００２４】
ワークユニット３は、受入ユニット２に隣接して配置され、搬送方向に沿って延び、光学的記録ディスク１を受けるための受けフレーム１６と、受けフレーム１６に受けられる光学的記録ディスク１に、冷却媒体としての空気を送風するための送風手段としての送風ユニット１８と、受けフレーム１６に受けられる光学的記録ディスク１を搬送方向上流側から下流側に順次搬送するための搬送ユニット１７とを備えている。
【００２５】
受けフレーム１６は、図１、図２、図７および図８に示すように、支持台５の上部が矩形状の枠体として形成されており、その枠内に搬送方向に沿って平行に延びる２体の支持板１９、１９により構成されており、一方の支持板１９は、枠体として形成されている支持台５上部の幅方向（搬送方向と略直交する方向）端部に設けられ、他方の支持板１９は、支持台５の幅方向途中に設けられている。これによって、支持台５の上部枠内において、その幅方向中央部および側方部に空間を形成させて、後述する搬送ユニット１７の搬送動作を行なえるようにしている。
【００２６】
また、受けフレーム１６には、搬送方向に沿って光学的記録ディスク１を受けるための受け部２０が、互いに等間隔を隔てて複数（８つ）設けられている。この受け部２０は、２つの部材からからなり、各部材が、支持台５上部の幅方向中央部の空間を挟むように対向状に配置された状態で、各支持板１９により支持されている。そして、各受け部２０における対向する部分には、搬送される光学的記録ディスク１の周縁部分に沿うような湾曲状の凹部２１が互いに内向きに形成されている。これによって、各受け部２０は、搬送される光学的記録ディスク１の周縁部分を各凹部２１に受け入れて、光学的記録ディスク１を保持するようにしている。
【００２７】
搬送ユニット１７は、各受け部２０に受けられる光学的記録ディスク１を保持するための保持部材としての複数の保持ピン２２と、各保持ピン２２および送風ユニット１８を共通して支持する支持フレーム２３と、この支持フレーム２３を移動させるための可動部材２４とを備えている。
【００２８】
支持フレーム２３は、可動部材２４に取り付けられるベースプレート３０と、このベースプレート３０に取り付けられる上側保持部２５および下側保持部２８とを備えている。
【００２９】
ベースプレート３０は、矩形板状をなし、後述する可動部材２４の２つのピストン３７に取り付けられ、水平方向に支持されている。
【００３０】
上側保持部２５は、搬送方向に沿って延び、搬送開始状態（図１および図３に示す状態）において、搬送方向における最も上流側の受け部２０および最も下流側の受け部２０以外のすべての受け部２０に対向し得る長さを有する支持杆部２６と、搬送方向における最も上流側の受け部２０および最も下流側の受け部２０以外のすべての受け部２０に対向する位置において、支持杆部２６に取り付けられる複数のアーム部２７とを備えている。支持杆部２６は、搬送開始状態において、搬送方向上流側から下流側に向かう４番目の受け部２０に対向する位置において、ベースプレート３０の幅方向一側面に取り付けられている。また、複数のアーム部２７は、各受け部２０が設けられる間隔を隔ててそれぞれ配置されており、各アーム部２７は、略コ字状をなし、支持台５上部の側方部の空間を跨いで、その両端部が、受け部２０を挟んで対向状に臨むように配置され、その下側の一端が支持杆部２６の下面に取り付けられるとともに、その上側の他端には、後述する送風ユニット１８の上側送風器３８が取り付けられている。
【００３１】
下側保持部２８は、杆状をなし、搬送方向に沿って延び、搬送開始状態において、搬送方向における最も下流側の受け部２０以外のすべての受け部２０に対向し得る長さを有しており、搬送開始状態における搬送方向上流側から下流側に向かう４番目の受け部２０に対向する位置において、ベースプレート３０の上面に取り付けられている。この下側保持部２８には、搬送開始状態において、搬送方向における最も下流側の受け部２０以外のすべての受け部２０に対向する位置に、後述する送風ユニット１８の下側送風器３９が取り付けられており、各下側送風器３９の中央部からは、上方向に向かって光学的記録ディスク１の中央孔に嵌まり合う保持ピン２２が突出形成されている。
【００３２】
これによって、送風ユニット１８の上側送風器３８および下側送風器３９は、搬送開始状態において、搬送方向における最も上流側の受け部２０および最も下流側の受け部２０以外の各受け部２０において、その各受け部２０に受けられている光学的記録ディスク１を挟んで、上下方向において対向状に配置される。
【００３３】
可動部材２４は、支持フレーム２３の下方に配置され、支持フレーム２３を水平方向に移動させる水平方向移動機構部３１と、支持フレーム２３を上下方向に移動させる上下方向移動機構部３２とを備えている。水平方向移動機構部３１は、支持台５のフレームに取り付けられるガイドレール３３と、このガイドレール３３に嵌め込まれて、ガイドレール３３の長さ方向にスライド移動可能に取り付けられる水平方向駆動部３４とを備えている。
【００３４】
ガイドレール３３は、２つの受け部２０が隔てられる間隔と同じ長さで、搬送開始状態における搬送方向上流側から下流側に向かう４番目の受け部２０と５番目の受け部２０との間にわたって設けられており、この間の水平方向駆動部３４のスライド移動によって、支持フレーム２３を水平移動させて、支持フレーム２３に支持されている各送風ユニット１８および各保持ピン２２を、互いに隣り合う受け部２０の間において水平方向に移動できるようにしている。
【００３５】
上下方向移動機構部３２は、水平方向駆動部３４の上部に断面Ｌ字状の取付板３５を介して取り付けられるシリンダ３６と、このシリンダ３６内に設けられる２つのピストン３７とを備えており、この２つのピストン３７の先端部にベースプレート３０が取り付けられている。２つのピストン３７は、全く同じように上下動作され、このピストン３７を上動作させることにより、支持フレーム２３を上方向に移動させて、支持フレーム２３に支持されている各保持ピン２２を各受け部２０に受けられている光学的記録ディスク１の中央孔に嵌め込んで、これによって、複数の光学的記録ディスク１を各受け部２０から一度に持ち上げることができ、かつ、ピストン３７を下動作させることにより、支持フレーム２３を下方向に移動させて、各受け部２０から持ち上げられている光学的記録ディスク１を各受け部２０に保持させるとともに、各保持ピン２２を各光学的記録ディスク１の中央孔から一度に外すことができるようにしている。
【００３６】
これによって、水平方向駆動部３４をガイドレール３３の範囲内で水平方向に移動させて、あるいは、ピストン３７を上下方向に往復動させることにより、支持フレーム２３を上下方向あるいは水平方向に移動させて、各受け部２０に受けられている光学的記録ディスク１を、その受け部２０よりも搬送方向の１つ上流側の受け部２０に一度に搬送できるようにしている。
【００３７】
次に、図３ないし図６を参照して、各受け部２０に受けられている光学的記録ディスク１を搬送方向上流側から下流側に搬送する動作を詳述する。
【００３８】
図３は、搬送開始状態であって、水平方向駆動部３４がガイドレール３３における搬送方向の最も上流側（搬送方向上流側から下流側に向かう４番目の受
け部２０と対向する位置）に位置されるとともに、ピストン３７が下動作され、光学的記録ディスク１が各受け部２０に受けられている。この状態から、まず、ピストン３７を上動作させると、支持フレーム２３が上方向に移動して、支持フレーム２３に支持されている各保持ピン２２が各光学的記録ディスク１の中央孔に嵌め込まれ、支持フレーム２３がさらに上方向に移動することにより、各光学的記録ディスク１が受け部２０から持ち上げられる状態となる。なお、支持フレーム２３の上方向の移動によって、各光学的記録ディスク１とともに、その光学的記録ディスク１を挟んで対向している送風ユニット１８の上側送風器３８および下側送風器３９も、その姿勢を保ったままの状態で上方向に移動される。この状態が、図４に示されている。
【００３９】
次に、水平方向駆動部３４をガイドレール３３に沿って、その搬送方向の最も下流側（搬送方向上流側から下流側に向かう５番目の受け部２０と対向する位置）にスライド移動させる。そうすると、支持フレーム２３が搬送方向下流側に移動し、これに伴って、各保持ピン２２に保持されている光学的記録ディスク１が、その光学的記録ディスク１を挟んで対向している送風ユニット１８の上側送風器３８および下側送風器３９とともに、搬送方向における１つ下流側の受け部２０に対向する位置に移動される。この状態が、図５に示されている。
【００４０】
そして、この状態から、ピストン３７を下動作させることにより、支持フレーム２３を下方向に移動させて、光学的記録ディスク１を搬送方向における１つ下流側の受け部２０に受けさせることにより、各受け部２０に受けられている光学的記録ディスク１は、その搬送方向における１つ下流側の受け部２０に一度に搬送される。この状態が、図６に示されている。なお、支持フレーム２３の下方向の移動によって、各光学的記録ディスク１とともに、その光学的記録ディスク１を挟んで対向している送風ユニット１８の上側送風器３８および下側送風器３９も、その姿勢を保ったままの状態で下方向に移動される。
【００４１】
そして、再び、水平方向駆動部３４をガイドレール３３に沿って、その搬送方向の最も上流側（搬送方向上流側から下流側に向かう４番目の受け部２０と対向する位置）にスライド移動させて、同様の搬送動作を繰り返すことにより、受入ユニット２により受け入れられ、搬送方向における最も上流側の受け部２０に受けられた光学的記録ディスク１を、順次、その下流側の受け部２０に１つずつ搬送させて、搬送方向における最も下流側の受け部２０まで搬送するようにしている。
【００４２】
なお、本実施形態の冷却装置においては、搬送ユニット１７が、図３に示す状態から図４に示す状態に動作している時に、搬送方向における最も下流側の受け部２０に受けられている光学的記録ディスク１が後述する収容アクチュエータ４４によって収容ユニット４に搬送され、また、搬送ユニット１７が図５に示す状態から図６に示す状態に動作している時に、受入ユニット２によって射出成形機の取出器から受け入れられた光学的記録ディスク１が搬送方向における最も上流側の受け部２０に受けられるので、通常は、搬送方向の最も下流側および上流側の受け部２０以外の受け部２０のすべてに、光学的記録ディスク１が受けられて、これら光学的記録ディスク１が順次搬送ユニット１７によって搬送される状態となる。
【００４３】
搬送ユニット１７を、このように構成することにより、可動部材２４を作動させるのみで、各受け部２０に受けられている複数の光学的記録ディスク１を各保持ピン２２によって一度に保持させて、その受けられている受け部２０よりも搬送方向下流側の受け部２０に一度に搬送することができるので、簡易な構成により、効率的に搬送することができる。
【００４４】
各送風ユニット１８は、上記したように、支持フレーム２３の上側保持部２５のアーム部２７に取り付けられる上側送風器３８と、下側保持部２８に取り付けられる下側送風器３９とを備えており、搬送開始状態において、搬送方向における最も上流側の受け部２０および最も下流側の受け部２０以外の各受け部２０において、その各受け部２０に受けられている光学的記録ディスク１を挟んで、これら上側送風器３８および下側送風器３９が上下方向において対向するように設けられている。
【００４５】
なお、搬送開始状態において、搬送方向における最も上流側の受け部２０に対向する位置には、その位置が受入ユニット２からの光学的記録ディスク１の受取位置となるため、下側送風器３９のみが下側保持部２８に取り付けられている。
【００４６】
また、各上側送風器３８および各下側送風器３９には、図３ないし図６に示すように、エア供給ユニット５８からのエア供給ライン５９がそれぞれ接続されており、これによって、各上側送風器３８および各下側送風器３９に空気が送風されるように構成されている。
【００４７】
上側送風器３８および下側送風器３９は、同一構造であって、たとえば、下側送風器３９は、図９ないし図１１に示すように、光学的記録ディスク１よりもやや小径の円筒形状に形成されるベース部材４０と、このベース部材４０上に設けられ、ベース部材４０と同径の円環状に形成されるノズルプレート４１とを備えている。
【００４８】
ベース部材４０には、エア供給ライン５９から供給される空気を導入するための複数（２つ）のエア導入口４３と、このエア導入口４３に連通して形成され、その上方が開放される円環状のエア通路６０とが形成されている。また、ノズルプレート４１には、ベース部材４０のエア通路６０に連通する円環状の吹出口４２が形成されている。
【００４９】
そして、図１１に示すように、各ノズルプレート４１は、受け部２０に受けられている光学的記録ディスク１に対して、その円環状の吹出口４２が、光学的記録ディスク１と同心円上に位置するよう配置されており、これによって、エア供給ユニット５８からエア供給ライン５９を介して下側送風器３９に供給された空気は、その吹出口４２から、光学的記録ディスク１における、その中心から外周に向かう径方向途中であって、中心から実質的に等距離離れた環状部分に吹き付けられる。
【００５０】
このように、光学的記録ディスク１に円環状に空気を吹き付ければ、光学的記録ディスク１と同心円の環状部分が偏りなく冷却され、かつ、その環状部分から径方向に沿って次第に冷却される。したがって、光学的記録ディスク１を、周方向において偏りなく冷却できるので、その光学的記録ディスク１の有する機械的特性、電気的特性および光学的特性を改善するように冷却することができる。
【００５１】
また、上記したように、光学的記録ディスク１は、受け部２０に受けられている状態のみならず、搬送動作の途中においても、保持ピン２２に保持された状態で、その上下方向から、上側送風器３８および下側送風機３９によって冷却されるので、光学的記録ディスク１を確実かつ十分に冷却することができながら、成形サイクルの効率を高めることができる。
【００５２】
なお、ノズルプレート４１の吹出口４２の位置および向きは、光学的記録ディスク１を冷却する時の条件や、その後の処理条件および要求される形状などにより、適宜選択することができ、たとえば、図９に示すように、ベース部材４０のエア通路６０における径方向外側位置において吹出口４２が連通するようなノズルプレート４１を用いて、光学的記録ディスク１の径方向やや外側を冷却するようにしてもよく、また、図１２に示すように、ベース部材４０のエア通路６０における径方向内側位置において吹出口４２が連通するようなノズルプレート４１を用いて、光学的記録ディスク１の径方向やや内側を冷却するようにしてもよく、さらに、たとえば、図１３に示すように、ベース部材４０のエア通路６０における径方向外側位置に連通し、かつその外側位置から内側位置に向けて傾斜状に開口されるような吹出口４２を有するノズルプレート４１を用いて、光学的記録ディスク１の径方向外側から内側に向けて冷却するようにしてもよい。なお、この図１３に示すような向きの吹出口４２によって冷却される光学的記録ディスク１は、径方向内側がより冷却されるため、その中心から径方向外側に向かってそりを生じるような所定の形状に冷却されるとともに、光学的特性の全体的な改善をも図ることができる。
【００５３】
また、上側送風器３８と下側送風器３９の送風量は同じでもよく、また、冷却条件や後処理条件に応じて、適宜異ならせてもよい。このような送風ユニット１８の送風により、光学的記録ディスク１を変形させることなく、あるいは、その後の処理条件に合わせて特定の方向にそらせるようにして、均一な冷却を行なえばよい。
【００５４】
また、ワークユニット３には、搬送ユニット１７による搬送終了後に光学的記録ディスク１を搬送ユニット１７から後述する収容ユニット４に収容させるための収容アクチュエータ４４を備えている。
【００５５】
収容アクチュエータ４４は、図１に示すように、搬送ユニット１７の搬送方向下流側の上方に配置され、水平方向に往復動する水平移動アクチュエータ４５と、上下方向に移動する上下移動アクチュエータ４６と、光学的記録ディスク１を吸引することによって保持し得る保持具４７とを備えている。水平移動アクチュエータ４５は、支持台５から立設する支柱４８に取り付けられるシリンダ４９と、このシリンダ４９内に設けられ、水平方向に往復動する複数（２つ）のピストン５０とを備えている。上下移動アクチュエータ４６は、ピストン５０の先端にＬ字状の取付部材５１を介して、ピストン５０の長さ方向に対して直交する方向に取り付けられるシリンダ５２と、このシリンダ５２内に設けられるピストン５３とを備えており、このピストン５３の先端部に保持具４７が取り付けられている。
【００５６】
この収容アクチュエータ４４では、まず、上下移動アクチュエータ４６のピストン５３を下方向に駆動させて、保持具４７を、搬送方向における最も下流側の受け部２０に受けられる光学的記録ディスク１と対向する位置に配置するとともに、保持具４７の吸引によってその光学的記録ディスク１を保持させる。次いで、保持具４７によって光学的記録ディスク１を保持させた状態で、ピストン５３を上方向に駆動させ、続いて、水平移動アクチュエータ４５のピストン５０を往方向に駆動させて、その光学的記録ディスク１を次に述べる収容ユニット４の収容柱５７と対向する位置まで水平方向に移動させる。そして、この状態から保持具４７の吸引を解除させることによって収容ユニット４の収容柱５７に光学的記録ディスク１を落下させる。これによって、光学的記録ディスク１のワークユニット３から収容ユニット４への搬送が行なわれる。
【００５７】
収容ユニット４は、ワークユニット３に隣接して配置されており、支持台５に設けられる円板状の収容テーブル５４と、収容テーブル５４の中央に設けられる駆動軸５５と、この駆動軸５５に取り付けられる回転テーブル５６とを備えている。回転テーブル５６は、円板形状をなし、光学的記録ディスク１の中央孔に挿通可能な複数（４つ）の収容柱５７が周状に立設されている。
【００５８】
収容アクチュエータ４４の保持具４７の吸引の解除により落下する光学的記録ディスク１は、その中央孔に収容柱５７が挿通されて、これによって、多数の光学的記録ディスク１が収容柱５７に積載状に収容される。そして、ある収容柱５７が積載された光学的記録ディスク１で満杯になると、回転テーブル５６が回転して、次の収容柱５７に収容するように構成されている。
【００５９】
このようにして、搬送終了後に収容ユニット４に光学的記録ディスク１を積載状に収容すれば、効率的な成形、冷却および収容を達成することができ、これによって、成形サイクルのより一層の効率化を図ることができる。
【００６０】
なお、本実施形態の冷却装置では、送風ユニット１８の各ノズルプレート４１は、受け部２０に受けられた光学的記録ディスク１に対して、その円環状の吹出口４２が、光学的記録ディスク１と同心円上に位置するよう配置しているが、その目的および用途などにより、吹出口４２を光学的記録ディスク１の同心円上に配置しなくてもよく、また、吹出口４２の幅は、適宜決定すればよい。
【００６１】
また、本実施形態の冷却装置では、各受け部２０に受けられる光学的記録ディスク１を、搬送ユニット１７によって搬送しながら、送風ユニット１８によって冷却するように構成したが、搬送せずに、光学的記録ディスク１をある状態で静的に保持して、その光学的記録ディスク１に円環状に空気を吹き付けることによって冷却するようにしてもよい。
【００６２】
また、冷却媒体としては、空気に限らず、窒素ガスなど、冷媒として使用し得る公知のものを使用することができる。また、光学的記録ディスク１は、たとえば、コンパクトディスク（ＣＤ）、ＤＶＤ、ＣＤＲ、ＭＤ、ＬＤなどその種類を問わない。
【００６３】
【発明の効果】
以上述べたように、請求項１に記載の発明によれば、ディスク状プラスチック成形品を、周方向において偏りなく冷却することができる。したがって、ディスク状プラスチック成形品の有する電気的特性や光学的特性を損なうことのないように冷却することができる。
【００６４】
請求項２に記載の発明によれば、環状部分を冷却することにより、その環状部分から径方向に沿って次第に冷却することができる。そのため、ディスク状プラスチック成形品を径方向において任意の形状に冷却できながら、かつ、その特性を損なうことなく冷却を達成することができる。
【００６５】
請求項３に記載の発明によれば、ディスク状プラスチック成形品が、搬送手段によって搬送されながら、送風手段によって冷却されるので、ディスク状プラスチック成形品を十分に冷却することができながら、成形サイクルの効率を高めることができる。
【００６６】
請求項４に記載の発明によれば、ディスク状プラスチック成形品が、複数の受け部に順次受け継がれながら、各受け部において各送風手段によって冷却されるので、ディスク状プラスチック成形品を確実に冷却することができながら、成形サイクルの効率を高めることができる。
【００６７】
請求項５に記載の発明によれば、可動部材を作動させるのみで、各受け部に受けられている各ディスク状プラスチック成形品を、その受け部よりも搬送方向下流側の受け部に一度に搬送することができるとともに、その搬送中においても、各送風手段によって各ディスク状プラスチック成形品を冷却することができる。したがって、簡易な構成により、効率的にディスク状プラスチック成形品を冷却することができる。
【００６８】
請求項６に記載の発明によれば、プラスチック成形機によって成形されたディスク状プラスチック成形品は、冷却手段によって冷却されながら搬送手段によって搬送された後、収容ユニットにおいて収容されるので、効率的な成形、冷却および収容を達成することができ、これによって、成形サイクルのより一層の効率化を図ることができる。
【図面の簡単な説明】
【図１】本発明のディスク状プラスチック成形品の冷却装置の一実施形態を示す要部断面正面図である。
【図２】図１に示す冷却装置の要部平面図である。
【図３】図１に示す冷却装置のワークユニットの要部断面正面図である。
【図４】図１に示す冷却装置のワークユニットの要部断面正面図である。
【図５】図１に示す冷却装置のワークユニットの要部断面正面図である。
【図６】図１に示す冷却装置のワークユニットの要部断面正面図である。
【図７】図１に示す冷却装置のワークユニットの要部断面側面図である。
【図８】図１に示す冷却装置のワークユニットの要部断面側面図である。
【図９】図３に示すワークユニットの送風ユニットの要部断面正面図である。
【図１０】図９に示す送風ユニットのベース部材の平面図である。
【図１１】図９に示す送風ユニットの平面図である。
【図１２】図９に示す送風ユニットとは異なる実施形態の要部断面正面図である。
【図１３】図９に示す送風ユニットとは異なる実施形態の要部断面正面図である。
【符号の説明】
１    光学的記録ディスク
３    ワークユニット
４    収容ユニット
１６  受けフレーム
１７  搬送ユニット
１８  送風ユニット
２０  受け部
２２  保持ピン
２３  支持フレーム
２４  可動部材
【図１】
0004290307.tif 000002
【図２】
0004290307.tif 000003
【図３】
0004290307.tif 000004
【図４】
0004290307.tif 000005
【図５】
0004290307.tif 000006
【図６】
0004290307.tif 000007
【図７】
0004290307.tif 000008
【図８】
0004290307.tif 000009
【図９】
0004290307.tif 000010
【図１０】
0004290307.tif 000011
【図１１】
0004290307.tif 000012
【図１２】
0004290307.tif 000013
【図１３】
0004290307.tif 000014